(57)【要約】【課題】患者の臀部を支持する腰板の角度を任意に調節可能とするとともに、故障の発生が少ない医療台を提供する。【解決手段】患者の背部を支持可能な背板と、患者の臀部を支持可能な腰板と、腰板を水平姿勢と傾斜姿勢との間で回動する駆動機構とを備え、駆動機構は、直線駆動機構と、該直線駆動機構による直線駆動を腰板の回動に変換する運動変換機構とを有しており、運動変換機構は、直線駆動機構により前後方向に沿って直線駆動され、先端から後方に向かうにしたがって上り勾配とされた傾斜板と、腰板から下方に突出して傾斜板の表面に接触し、傾斜板の直線移動による傾斜板との接触位置の変化に追従して腰板を回動する従動体とを有している。【選択図】  図８
2015211721.tif 000002
【特許請求の範囲】
【請求項１】
患者の背部を支持可能な背板と、患者の臀部を支持可能な腰板と、前記腰板を水平姿勢と傾斜姿勢との間で回動する駆動機構とを備え、前記駆動機構は、直線駆動機構と、該直線駆動機構による直線駆動を前記腰板の回動に変換する運動変換機構とを有していることを特徴とする医療台。
【請求項２】
前記駆動機構は前記腰板の下方に設けられ、前記運動変換機構は、前記直線駆動機構により前後方向に沿って直線駆動され、先端から後方に向かうにしたがって上り勾配とされた傾斜板と、前記腰板から下方に突出して前記傾斜板の表面に接触し、前記傾斜板の直線移動による該傾斜板との接触位置の変化に追従して前記腰板を回動する従動体とを有していることを特徴とする請求項１記載の医療台。
【請求項３】
前記従動体に、前記傾斜板の表面に接触する転動体が回転自在に設けられていることを特徴とする請求項２記載の医療台。
【発明の詳細な説明】
【技術分野】
【０００１】
本発明は、産科・婦人科における医療行為に用いられる検診台や手術台、分娩台等の医療台に関する。
【背景技術】
【０００２】
従来、産科・婦人科において、分娩、診察、治療等の際に患者の体を支える医療台が用いられている。医療台は、患者の胴体を支持する背板（背もたれ）、臀部を支持する腰板等を備え、これらの角度や位置を必要に応じて変更できる構成により、患者の姿勢を安定して保つことを可能にしている。
【０００３】
例えば、特許文献１の医療台は、患者の背部を支持する背板と、臀部を支持する腰板（座板）とを有し、背板を水平姿勢から起立姿勢に傾動することができる。この医療台の場合は、腰板を傾動させる構成は備えていない。
一方、特許文献２の産婦人科用分娩台では、患者の臀部を受ける座部と、この座部に対して起伏する背凭れ部とを有し、背凭れ部は座部側を支軸としてアクチュエータにより起伏可能に設けられ、また、座部も背凭れ側を支軸として油圧シリンダにより起伏可能に設けられている。
このような医療台では、分娩や診療等の医療行為の実施時に患者が楽な体勢で臨めるように、また、医師や看護士などにとっても患者の体勢を診療しやすい状態に調節可能にすることが望まれており、その場合に、医療行為の支障になることなく円滑に動作することが重要である。
【先行技術文献】
【特許文献】
【０００４】
【特許文献１】特開２００５−３４２２９１号公報
【特許文献２】特開２００１−２９４０４号公報
【発明の概要】
【発明が解決しようとする課題】
【０００５】
しかしながら、前述の特許文献１の医療台の場合には、腰板が水平姿勢に固定されているため、この腰板を傾けて患者の臀部の角度を調節することはできない。そのため、患者の姿勢に制約が生じ、医師や看護士にとっても医療行為に支障をきたすおそれがある。
一方、特許文献２においては座部が起伏可能に設けられているが、その動作は座部に直接取り付けられた油圧シリンダにより行われる構成である。このため、座部に加わる患者の体重が直接油圧シリンダに加わることになり、この油圧シリンダへの負荷が大きくなって故障の可能性も高くなる。また、座部の下方位置に医療器具等の何らかの障害物がある場合、この座部を起伏状態から水平方向に動作させたときにその下部に障害物が挟まれて油圧シリンダに大きな負荷が加わって故障につながることもある。
【０００６】
本発明は、このような事情に鑑みてなされたもので、患者の臀部を支持する腰板の角度を任意に調節可能とするとともに、故障の発生が少ない医療台を提供することを目的とする。
【課題を解決するための手段】
【０００７】
本発明の医療台は、患者の背部を支持可能な背板と、患者の臀部を支持可能な腰板と、前記腰板を水平姿勢と傾斜姿勢との間で回動する駆動機構とを備え、前記駆動機構は、直線駆動機構と、該直線駆動機構による直線駆動を前記腰板の回動に変換する運動変換機構とを有している。
【０００８】
この医療台は、腰板を駆動機構によって回動することができるとともに、その駆動機構を直線駆動機構と運動変換機構とにより構成したので、腰板が傾斜した姿勢であっても直線駆動機構の駆動源に患者の体重が直接作用することがなく、駆動源の負荷が少なくなり、故障が生じにくい。
【０００９】
本発明の医療台において、前記駆動機構は前記腰板の下方に設けられ、前記運動変換機構は、前記直線駆動機構により前後方向に沿って直線駆動され、先端から後方に向かうにしたがって上り勾配とされた傾斜板と、前記腰板から下方に突出して前記傾斜板の表面に接触し、前記傾斜板の直線移動による該傾斜板との接触位置の変化に追従して前記腰板を回動する従動体とを有している。
また、前述の特許文献２記載の産婦人科用分娩台の場合、油圧シリンダの位置が座部に近接することになるため、分娩時等の汚水で汚れやすく、座部付近の清掃等も困難になるという問題があるが、本発明の医療台の場合は、運動変換機構により直線駆動機構の駆動源と腰板とを離間して配置することができるので、分娩時の汚水等により駆動源が汚れることが防止される。また、腰板のみを回動することが可能であるので、腰板周囲の清掃やメンテナンスが容易になる。
【００１０】
腰板に設けた従動体を傾斜板に接触させ、その傾斜板を直線駆動して腰板を回動する構成であるので、駆動停止中は、腰板が傾斜状態であっても、患者の体重が直線駆動機構に作用することはない。
また、腰板の従動体は傾斜板に接触しているだけであるので、傾斜姿勢の腰板を水平姿勢に戻す際に、万一腰板の下方に障害物があった場合でも、直線駆動機構の作動に抵抗となることはなく、より故障しにくい構造である。
【００１１】
本発明の医療台において、前記従動体に、前記傾斜板の表面に接触する転動体が回転自在に設けられているとよい。
【００１２】
この医療台においては、従動体と傾斜板との間に生じる摩擦を転動体により軽減でき、直線駆動機構からカム機構を介して腰板に効率的に駆動力を伝達し、軽い駆動力で腰板を回動することができる。このため、モータ等の駆動源の小型化を図ることが可能である。
【発明の効果】
【００１３】
本発明の医療台によれば、患者の臀部の角度を変えられることで、患者の姿勢を必要に応じて適切に変更することができ、しかも、運動変換機構を介して直線駆動機構の駆動力を伝達する構成であるので、腰板が傾斜した姿勢でも患者の体重が直接駆動源に作用することがなく、駆動源の故障の発生も少なくなる。
【図面の簡単な説明】
【００１４】
【図１】本発明の一実施形態に係る医療台において腰板を水平に配置した状態の斜視図である。
【図２】図１の正面図である。
【図３】図１の背板を取り外した状態の平面図である。
【図４】図３のＡ−Ａ線に沿う部分拡大断面図である。
【図５】図１の医療台において腰板を傾斜姿勢とした斜視図である。
【図６】図５の正面図である。
【図７】図５の背板を取り外した状態の平面図である。
【図８】図５のＢ−Ｂ線に沿う断面図である。
【発明を実施するための形態】
【００１５】
以下、本発明に係る医療台の実施形態について図を参照しながら説明する。
［全体構成］
図１及び図５に全体を示すように、医療台１は、床上に配置されるベース２と、ベース２に設けた昇降機構（図示略）により上下移動させられる台本体部３とを備えており、台本体部３には、患者の背部を支持して水平姿勢から起立姿勢まで回動可能な背板４と、起立状態の背板４の下方に配置されるように取り付けられ、患者の臀部を支持可能な腰板（腰板と称される場合もある）５と、必要時に腰板５の前方に配置可能な補助台６とが設けられている。
図１には、背板４及び腰板５を同一水平面上に配置したベッドポジション時の形態を示しているが、背板４が腰板５に対して起立した椅子ポジション等に姿勢を変えることができるようになっている。また、補助台６を若干引き出した状態で示しているが、台本体部３内に収納することも可能である。
ベース２はキャスタ１１を備え、診察室などの床上に設置される。
なお、この医療台１において、水平姿勢の腰板５の上面が向く方向を上方向、その反対方向を下方向とし、腰板５から背板４に向かう水平方向を後方、背板４から腰板５に向かう水平方向を前方、この前後方向に直交する方向を左右方向とする。
【００１６】
ベッドポジションにおいては、前述したように背板４と腰板５とが同一水平面上に設置され、台本体部３の上面は、この水平状態の背板４と腰板５とにより形成されており、これら背板４及び腰板５と、側面から下面を形成するハウジング１２とにより、台本体部３の内部は空洞が形成されている。そして、この台本体部３の空洞内に、背板４を傾斜させる背板駆動機構、腰板５を傾斜させる腰板駆動機構７、補助台６を移動するための補助台駆動機構（図示略）等が収納されている。
また、ハウジング１２の下部には、患者から排泄される汚物等を受けるための汚物受け１３が水平方向にスライド可能に設けられる場合もある。
【００１７】
［腰板及び腰板駆動機構の細部構成］
腰板５は、背板４側の端部が台本体部３に水平な軸２１を介して垂直回動自在に取り付けられており、腰板駆動機構７は、この腰板５を図１及び図２に示す水平姿勢と図５及び図６に示す傾斜姿勢との間で回動することができる。
この腰板駆動機構７は、腰板５の下方に設けられ、直線駆動機構２２とカム機構２３とから構成されている。
直線駆動機構２２は、本実施形態では送りねじ機構によって構成され、その送りねじ２４の先端に水平なロッド２５が連結され、送りねじ２４の基端部に螺合している雌ねじ部材２６をモータ等の駆動部２７によって回転することにより、送りねじ２４とともにロッド２５を進退させる構成である。この場合、図３及び図７に示すように、駆動部２７は台本体部３の最後部に設けられ、送りねじ２４、ロッド２５は前後方向に沿って設置されている。
【００１８】
一方、カム機構２３は、図３、図４、図７、図８に示すように、ロッド２５の先端に固定された傾斜板３１と、この傾斜板３１に接触する従動体３２とから構成される。
傾斜板３１は、先端から後方に向かうにしたがって所定の角度の上り勾配となるように傾斜しており、腰板５の下方に幅方向にわたって設けられ、直線駆動機構２２によって前後方向に移動させられる。
従動体３２は、図４及び図８に示す例では傾斜板３１の上面に接触するカムフロア３３を備えており、腰板５の下面の左右両側部に下方に突出するブラケット３４が固定され、両ブラケット３４にカムフロア３３がそれぞれ回転自在に取り付けられている。この場合、腰板５を回動可能に支持している軸２１よりも下方かつ前方位置に離間してカムフロア３３が配置されている。この従動体３２としては、カムフォロア等の転動体を有していなくてもよいが、後述するように傾斜板３１上を接触したまま移動するので、そのときの摩擦力を軽減できる材料等のものが好ましい。
なお、腰板５が水平姿勢の際には、腰板５は図１及び図２に示すように台本体部３のハウジング１２の上面に当接して支持される。
【００１９】
このように構成した医療台１は、図８に矢印で示したように、直線駆動機構２２のロッド２５を水平方向に進退することにより、腰板５を軸２１を中心に垂直回動することができる。
まず、水平姿勢に配置した腰板５を傾斜姿勢に回動する場合は、直線駆動機構２２の駆動部２７を駆動すると、雌ねじ部材２６が回転し、この雌ねじ部材２６に螺合している送りねじ２４がロッド２５を前進させることにより、ロッド２５の先端の傾斜板３１が前進し、この傾斜板３１の上面に接触している従動体３２が押されて、傾斜板３１の勾配にしたがって押し上げられる。この従動体３２は、腰板５の軸２１よりも下方かつ前方に離間して配置されていることから、従動体３２が傾斜板３１上を移動するにしたがって、その接触位置の変化に追従するように腰板５が軸２１を中心に回動する。
この場合、傾斜板３１と従動体３２との接触位置は、腰板５が水平姿勢にある状態で、腰板５の軸２１の直下の位置か、その位置よりも前方であれば、傾斜板３１の前進移動に伴って腰板５を回動させることが可能である。
また、腰板５は、水平方向に対して例えば３０°の傾斜角度まで傾斜することができるが、３０°に限らず、他の角度に設定してよい。
【００２０】
そして、この腰板５を適宜の角度で傾斜姿勢にして診察、治療等の処置を施すことができる。このとき、腰板５に支持される患者の体重が従動体３２を介して傾斜板３１上に作用するが、直線駆動機構２２の駆動部２７には傾斜板３１での分力としてわずかな力が作用するだけで、患者の体重が直接的に作用することはない。したがって、腰板５を傾斜姿勢で長時間保持しても、駆動部２７への負荷は小さく、故障の発生を少なくすることができる。
なお、傾斜板３１は、少なくとも従動体３２のカムフロア３３と接触可能なように腰板５の左右両側付近に設けられていればよいが、本実施形態では腰板５の幅方向にわたって長尺状に形成されている。このため、この傾斜板３１の後方に配置されている直線駆動機構２２等が図５に示すように傾斜板３１により隠された状態となり、汚物等が直線駆動機構２２等に付着することを防止することができる。また、傾斜板３１の表面に汚物等が付着したとしても、平坦面であり、清掃は容易である。
【００２１】
一方、腰板５を傾斜姿勢から水平姿勢に戻す場合は、直線駆動機構２２の駆動部２７を逆方向に駆動すれば、前進していた傾斜板３１が後退し、それに伴い従動体３２が傾斜板３１上を下降し、腰板５が回動して台本体部３のハウジング１２上面に当接して水平姿勢に保持される。
この下降途中に、万一腰板５と台本体部３のハウジング１２との間に障害物が挟まった場合には、腰板５の従動体３２は傾斜板３１上に載置されているだけであるので、直線駆動機構２２により傾斜板３１のみが後退し、障害物が挟まったことによる負荷が直線駆動機構２２の駆動部２４に作用することはなく、安全に医療台１を使用することができる。
【００２２】
なお、本発明は前記実施形態の構成のものに限定されるものではなく、細部構成においては、本発明の趣旨を逸脱しない範囲において種々の変更を加えることが可能である。
例えば、運動変換機構としては、実施形態の傾斜板によるカム機構の他に、腰板の軸に固定したピニオンを直進移動するラックによって回転する構成としてもよい。
【符号の説明】
【００２３】
１  医療台
２  ベース
３  台本体部
４  背板
５  腰板
６  補助台
７  腰板駆動機構
１２  ハウジング
２１  軸
２２  直線駆動機構
２３  カム機構（運動変換機構）
２４  送りねじ
２５  ロッド
２６  雌ねじ部材
２７  駆動部
３１  傾斜板
３２  従動体
３３  カムフロア（転動体）
３４  ブラケット
【図１】
2015211721.tif 000003
【図２】
2015211721.tif 000004
【図３】
2015211721.tif 000005
【図４】
2015211721.tif 000006
【図５】
2015211721.tif 000007
【図６】
2015211721.tif 000008
【図７】
2015211721.tif 000009
【図８】
2015211721.tif 000010